(57)【要約】【課題】  カウンターウエイト３０に主シーブ１２を有する駆動装置３５が配置されているエレベータ装置において、駆動装置３５のメンテナンスが容易に行なえるようにすること。【解決手段】  カウンターウェイト３０の下方に駆動装置３５を配置するとともに、その上方に主ロープ４が通過できる切り欠き３８を有する単位ウェイト３７を配置する。これにより、主シーブ１２に巻き掛けられた主ロープ４と単位ウェイト３７との接触を防止することができるため、主シーブ１２をカウンターウェイト３０の下方に設置することができる。この結果カウンターウェイト３０を昇降路の底部に降ろすと、駆動装置３５が低い位置に来るため、駆動装置のメンテナンスが容易に行なえるようになる。【選択図】      図１
2011131941.tif 000002
【特許請求の範囲】
【請求項１】
一側にはかご、他側にはカウンターウェイトが吊り下げられた主ロープを備え、前記カウンターウェイトには前記主ロープが巻き掛けられる主シーブを有する駆動装置が配置されているエレベータ装置において、
前記駆動装置の上方には単位ウェイトが配置されており、前記単位ウェイトは前記主ロープが通過可能な切り欠きを有していることを特徴とするエレベータ装置。
【請求項２】
前記カウンターウェイトを構成する一対の竪枠の上部には、前記単位ウェイトを挿入できる一対の切り欠きが設けられていることを特徴とする請求項１に記載のエレベータ装置。
【請求項３】
前記竪枠の切り欠きを塞ぐカバー板を有することを特徴とする請求項１又は２に記載のエレベータ装置。
【請求項４】
前記単位ウェイトの上方には、前記主ロープの振れを抑制するロープガイドを備えたことを特徴とする請求項１乃至３の何れかに記載のエレベータ装置。
【発明の詳細な説明】
【技術分野】
【０００１】
本発明は、カウンターウェイトに駆動装置を配置したエレベータ装置に関するものである。
【背景技術】
【０００２】
近年、昇降路内やカウンターウェイトに駆動装置を設置することにより、機械室を省略したエレベータが増えている。
図４〜図７はカウンターウェイトに駆動装置を配置した一例（特許文献１参照）で、図４は平面図、図５は正面図、図６はカウンターウェイトの平面図であり、夫々一部断面で示してある。図７はカウンターウェイトの正面図である。
図において、１は昇降路、２は天井、３は天井２に配置した返し車、４はかご５とカウンターウェイト６とを連結した主ロープ、７はカウンターウェイト６のフレーム、８はカウンターウェイト６の下部に設けられた単位ウェイト、９はフレーム７に設けられた巻上機、１０は減速機、１１はモータ、１２は主ロープ４が巻き掛けられた主シーブである。
【０００３】
この構成によれば、巻上機９〜主シーブ１２をカウンターウェイト６に取り付けたので、これらの重量に相当する分だけ単位ウェイト８を削減できるとともに、機械室を省略することができる。
【０００４】
しかしながら、このエレベータ装置の場合、巻上機９等のメンテナンスを行なうときには、カウンターウェイト６を昇降路１の底部に降ろしてから、メンテナンスを行なうことになるが、巻上機９等はカウンターウェイト６の高い位置にあるため、メンテナンスが容易でないという問題がある。
【０００５】
これに対して、図８は、モータ１１や主シーブ１２をカウンターウェイト６の下部に設置した例（特許文献２）である。図において、２０はかご５の吊り車、２１は主ロープ４の端部を天井２に固定した固定点、２２はカウンターウェイト６用の一対のガイドレール、２３はガイドレール２２に沿ってカウンターウェイト６の昇降を案内するガイド、２４はそらせ車である。また図４〜図７と同一符号は同一のものを示している。
この構成であれば、モータ１１等をカウンターウェイト６の下部に設置できるため、前記図４〜図７の例に比べて、モータ１１等のメンテナンスが容易になる。
【先行技術文献】
【特許文献】
【０００６】
【特許文献１】実開昭５１−１０９５６１号公報
【特許文献２】特開平６−２５５９５９号公報
【発明の概要】
【発明が解決しようとする課題】
【０００７】
しかしながら、図８の従来例は、カウンターウェイト６に単位ウェイト８が積載されていないため、カウンターウェイト６側の重量が、かご５側の重量に比べて非常に軽くなり、実用性に乏しいという問題があった。
【課題を解決するための手段】
【０００８】
本発明は、一側にはかご、他側にはカウンターウェイトが吊り下げられた主ロープを備え、前記カウンターウエイトには前記主ロープが巻きかけられる主シーブを有する駆動装置が配置されているエレベータ装置において、前記駆動装置の上方には単位ウェイトが配置されており、前記単位ウェイトは前記主ロープが通過可能な切り欠きを有していることを特徴とするエレベータ装置である。
【０００９】
また本発明は、前記カウンターウェイトを構成する一対の竪枠の上部には、前記単位ウェイトを挿入できる一対の切り欠きが設けられているものであり、更に、前記竪枠の切り欠きを塞ぐカバー板を有するものである。
【００１０】
また本発明は、前記単位ウェイトの上方には、前記主ロープの振れを抑制するロープガイドを備えたものである。
【発明の効果】
【００１１】
本発明によれば、モータ等の駆動装置をカウンターウェイトの下部に設置できるため、メンテナンスが容易になる上、必要な単位ウェイトを積載することができる。
【図面の簡単な説明】
【００１２】
【図１】本発明の実施の形態を示すカウンターウェイトの正面図及び平面図である。
【図２】単位ウェイトの平面図である。
【図３】本発明の他の実施の形態を示すカウンターウェイトの正面図である。
【図４】従来のエレベータの一例を示す平面図である。
【図５】図４の正面図である。
【図６】従来のカウンターウェイトの平面図である。
【図７】図６の正面図である。
【図８】他の従来のエレベータの一例を示す図である。
【発明を実施するための形態】
【００１３】
本発明の実施の形態を図面を用いて説明する。図１は本実施形態のカウンターウェイトの正面図及び平面図、図２は単位ウェイトの平面図である。図において、３０は本実施形態のカウンターウェイト、３１は一対の竪枠、３２は下枠、３３は中間枠、３４は上枠である。３５は主シーブ１２やモータ（図示省略）を有する駆動装置で、竪枠３１，下枠３２，中間枠３３の間に、防振ゴム等からなる防振体３６を介して設置されている。３７は中間枠３３の上に設けた単位ウェイトで、主ロープ４が通過するための２箇所の切り欠き３８を有している。４０は竪枠３１の上部に設けた一対の切り欠きで、この切り欠きを利用して単位ウェイト３７を積み込む構成である。４１は単位ウェイト３７を積み込んだ後に切り欠き４０を塞ぐカバー板、４２は単位ウェイト３７の飛び上がりを防止する押え金具で、単位ウェイト３７を積み込んだ後に竪枠３１に取付けられる。なお、カウンターウェイト３０のガイドレールなど本発明と直接関係しない部分は省略してある。
【００１４】
この実施形態において、駆動装置３５のメンテナンス時には、カウンターウェイト３０を昇降路の底部に降ろすと、駆動装置３５が低い位置に来ることになるためメンテナンスを容易に行なうことができる。しかも単位ウェイト３７を備えているため、カウンターウェイト３０の重量をかごの重量に見合った任意の重さに設定することができる。
【００１５】
次に、本発明の他の実施の形態について説明する。
一般に単位ウェイト３７は鋳物であり、また上下の単位ウェイト３７を完全に揃えて積むことは困難である。そのため、主ロープ４が単位ウェイト３７に接触しないような対策が必要となる。この実施形態は切り欠き３８が比較的小さくても主ロープが単位ウェイトに接触しないようにしたものである。
【００１６】
図３は図１に相当する図であり、カウンターウェイト３０の上枠３４にロープガイド５１〜５４を設けたものである。これにより、主ロープ４の振れを抑えることができるため、切り欠き３８が小さくても主ロープ４と単位ウェイト３７との接触を防止することができる。
【符号の説明】
【００１７】
４  主ロープ
５  かご
６，３０  カウンターウェイト
８，３７  単位ウェイト
１２  主シーブ
３１  竪枠
３２  下枠
３３  中間枠
３４  上枠
３５  駆動装置
３８，４０  切り欠き
４１  カバー板
５１〜５４  ロープガイド
【図１】
2011131941.tif 000003
【図２】
2011131941.tif 000004
【図３】
2011131941.tif 000005
【図４】
2011131941.tif 000006
【図５】
2011131941.tif 000007
【図６】
2011131941.tif 000008
【図７】
2011131941.tif 000009
【図８】
2011131941.tif 000010